(57)【特許請求の範囲】
【請求項１】
既知のデータシンボル系列を送信データに時間多重した送信情報系列に、下り方向のチャネルの複数のサブキャリア数よりも長いコード長を有するスクランブルコードを乗算し、当該乗算によって得られたスクランブル送信情報系列を当該下り方向のチャネルの複数のサブキャリアを用いて送信する基地局装置であって、
前記送信情報系列のフレーム先頭とフレーム末尾とに前記既知のデータシンボル系列が配置されるように、前記既知のデータシンボル系列を前記送信データに時間多重する多重手段と、
前記送信情報系列のフレーム先頭とフレーム末尾とに配置された前記既知のデータシンボル系列に、前記下り方向のチャネルの複数のサブキャリア数よりも長いコード長を有するスクランブルコードの同じコード部分のデータシンボルを、周波数方向に同じ配置で乗算するスクランブリング手段と
を備えていることを特徴とする基地局装置。
【請求項２】
無線基地局が、送信データに既知のデータシンボル系列を時間多重して生成する送信情報系列に、下り方向のチャネルの複数のサブキャリア数よりも長いコード長を有するスクランブルコードを乗算して、移動局との通信を行う移動体通信システムに用いられるスクランブルコードの割り当て方法であって、
前記送信情報系列のフレーム先頭とフレーム末尾とに前記既知のデータシンボル系列が配置されるように、送信データに前記既知のデータシンボル系列を時間多重するステップと、
前記送信情報系列のフレーム先頭とフレーム末尾とに周波数方向に並んで配置された前記既知のデータシンボル系列に、前記下り方向のチャネルの複数のサブキャリア数よりも長いコード長を有するスクランブルコードの同じコード部分のデータシンボルを周波数方向に同じ配置で乗算するステップと
を有することを特徴とする移動体通信システムに用いられるスクランブルコードの割り当て方法。
【請求項３】
送信データに既知のデータシンボル系列が時間多重された送信情報系列に、基地局装置からの下り方向のチャネルの複数のサブキャリア数よりも長いコード長を有するスクランブルコードが乗算されているスクランブル送信情報系列を受信し、当該スクランブル送信情報系列のフレーム境界と当該乗算されているスクランブルコードを同定するセルサーチ検出手段を備えた移動局装置であって、
受信したスクランブル送信情報系列の隣接する時間位置の周波数方向に並んだデータシンボル配列同士の相関に基づいて、当該受信したスクランブル送信情報系列のフレーム境界を検出し、当該受信したクランブル送信情報系列に乗算されているスクランブルコードグループを同定するとともに、当該同定したスクランブルコードグループから、当該受信したスクランブル送信情報系列に乗算されている、前記下り方向のチャネルの複数のサブキャリア数よりも長いコード長を有するスクランブルコードを同定するセルサーチ検出手段と、
該セルサーチ検出手段によって同定されたスクランブルコードのデータシンボルの配置を、前記下り方向のチャネルの複数のサブキャリア数よりも長いコード長を有するスクランブルコードの同じコード部分のデータシンボルを前記送信情報系列のフレーム先頭及びフレーム末尾の既知のデータシンボル系列に乗算すべく、予め基地局装置との間で定められている前記送信情報系列の時間位置毎に対応させて乗算するコード部分の配置制御内容にしたがって変更し、該セルサーチ検出手段によって検出されたフレーム境界に基づいて当該同定されたスクランブルコードの配置変更したデータシンボルを出力するコード配置制御部と、
該コード配置制御部から供給される当該同定されたスクランブルコードの配置変更したデータシンボルを、前記受信したスクランブル送信情報系列のフレーム境界に合わせて当該スクランブル送信情報系列に乗算するデスクランブリング手段と
を備えていることを特徴とする移動局装置。
【請求項４】
基地局装置と移動局装置とを備え、前記基地局装置は、既知のデータシンボル系列を送信データに時間多重した送信情報系列に、下り方向のチャネルの複数のサブキャリア数よりも長いコード長を有するスクランブルコードを乗算し、当該乗算によって得られたスクランブル送信情報系列を当該下り方向のチャネルの複数のサブキャリアを用いて前記移動局装置に送信する移動体通信システムであって、
前記基地局装置は、
前記送信情報系列のフレーム先頭とフレーム末尾とに前記既知のデータシンボル系列が配置されるように、前記既知のデータシンボル系列を前記送信データに時間多重する多重手段と、
前記送信情報系列のフレーム先頭とフレーム末尾とに配置された前記既知のデータシンボル系列に、前記下り方向のチャネルの複数のサブキャリア数よりも長いコード長を有するスクランブルコードの同じコード部分のデータシンボルを、周波数方向に同じ配置で乗算するスクランブリング手段と
を備え、
前記移動局装置は、
前記スクランブル送信情報系列を受信し、受信したスクランブル送信情報系列の隣接する時間位置の周波数方向に並んだデータシンボル配列同士の相関に基づいて、当該受信したスクランブル送信情報系列のフレーム境界を検出し、当該受信したスクランブル送信情報系列に乗算されているスクランブルコードグループを同定するとともに、当該同定したスクランブルコードグループから、当該受信したスクランブル送信情報系列に乗算されている、前記下り方向のチャネルの複数のサブキャリア数よりも長いコード長を有するスクランブルコードを同定するセルサーチ検出手段と、
該セルサーチ検出手段によって同定されたスクランブルコードのデータシンボルの配置を、前記下り方向のチャネルの複数のサブキャリア数よりも長いコード長を有するスクランブルコードの同じコード部分のデータシンボルを前記送信情報系列のフレーム先頭及びフレーム末尾の既知のデータシンボル系列に乗算すべく、予め基地局装置との間で定められている前記送信情報系列の時間位置毎に対応させて乗算するコード部分の配置制御内容にしたがって変更し、該セルサーチ検出手段によって検出されたフレーム境界に基づいて当該同定されたスクランブルコードの配置変更したデータシンボルを出力するコード配置制御部と、
該コード配置制御部から供給される当該同定されたスクランブルコードの配置変更したデータシンボルを、前記受信したスクランブル送信情報系列のフレーム境界に合わせて当該スクランブル送信情報系列に乗算するデスクランブリング手段と
を備えることを特徴とする移動体通信システム。
【発明の詳細な説明】
【技術分野】
【０００１】
本発明は、ＭＣ−ＣＤＭＡ方式の移動体通信システム、ＭＣ−ＣＤＭＡ方式の移動体通信システムにおけるスクランブルコードの割り当て方法、並びにＭＣ−ＣＤＭＡ方式の移動体通信システムに用いられる基地局装置及び移動局装置に関する。
【背景技術】
【０００２】
ＩＭＴ−２０００（International Mobile Telecommunication 2000）と呼ばれる第３世代の移動体通信では、無線アクセス方式としてＷ−ＣＤＭＡ（Wideband Code Division Multiple Access）方式が採用されている。
【０００３】
Ｗ−ＣＤＭＡ方式における無線基地局から無線移動局への下りリンクでは、無線基地局の識別のために‘２１８−１’通りのコードの中からコード間の相互相関が低い５１２個のスクランブルコードを利用している。そして、５１２個のスクランブルコードは、予め８種類ずつ６４種類のスクランブリングコードグループ（Scrambling Code Group）に分類されている。
【０００４】
また、第４世代の移動体通信方式として提案されているＭＣ−ＣＤＭＡ（Multi-Carrier Code Division Multiple Access）方式（非特許文献１：丹野元博、新博行、樋口健一、佐和橋衛「下りリンクブロードバンドＯＦＣＤＭにおけるパイロットチャネルを用いる３段セルサーチ法」電子情報通信学会  信学技報  ＲＣＳ−２００２−４０  ｐ．１３５−１４０、２００２年）においては、サブキャリア数（サブキャリア７６８本）と同じ長さのコード長（系列長）を持った５１２個のスクランブルコードを、無線基地局の識別のために利用している。
【０００５】
ところで、両方式それぞれのスクランブルコードが同数ということは、第３世代から第４世代への移行において、基地局の配置等を第３世代と第４世代とで共通にすることができる等のメリットがある。
【０００６】
一方、Ｗ−ＣＤＭＡ方式では、電源立上げ時、通信待ち受け時、及びソフトハンドオーバーモードに入る前に、無線移動局はパスロスが最も小さなセル（無線基地局）を探すセルサーチを行う。
【０００７】
このセルサーチの方法として、図２０に示すように、３段階に分けて無線リンクを接続すべきセルの検出を行っている（３段セルサーチ法）。
【０００８】
図２０は、従来のＷ−ＣＤＭＡ方式の３段セルサーチ法の手順を示したフローチャートである。
【０００９】
この３段セルサーチ法では、第１段階で、第１同期用チャネル（Primary Synchronization Channel）Ｐ-ＳＣＨの受信タイミングの検出を行ってスロット同期を行い（ステップＳ2010）、第２段階で、第１段階で得られたスロット同期タイミングにしたがって第２同期用チャネル（Secondary Synchronization Channel）Ｓ-ＳＣＨを用いてフレームタイミングの検出を行ってフレーム同期とスクランブルコードグループの検出（同定）とを行い（Ｓ2020）、第３段階で、第２段階で同定されたスクランブリングコードグループに割り当てられた８種類のスクランブリングコードそれぞれと、基地局毎に異なるスクランブリングコードがかけられている第１共通パイロットチャネル（Primary Common Pilot Channel）Ｐ-ＣＰIＣＨとの相関演算を行うことによって、このスクランブルコードグループに含まれるスクランブルコードの中から一致するスクランブルコードの検出（同定）を行っている（Ｓ2030）。
【００１０】
また、ＭＣ−ＣＤＭＡ方式においても、非特許文献１や特開２００３−２４４７６３号公報（特許文献１）記載の技術では、図２１に示すように３段階に分けて、セルサーチを行う方法が提案されている。
【００１１】
図２１は、従来のＭＣ−ＣＤＭＡ方式の３段セルサーチ法の手順を示したフローチャートである。
【００１２】
従来のＭＣ−ＣＤＭＡの３段セルサーチ方法は、第１段階で、ＯＦＤＭ信号のガードインターバル区間の相関特性を利用してシンボル同期を行い（ステップＳ2110）、第２段階で、例えばＯＦＤＭ信号を復調した受信信号フレームのフレーム先頭とフレーム末尾とにそれぞれ配置され、基地局毎に異なるスクランブリングコードがかけられているパイロットチャネル（Pilot Channel）ＰＬＣＨ同士の相互相関をとり、その検出した相関ピークによってフレーム位置（すなわちフレーム境界）やスクランブルコードグループの検出を行い（Ｓ2120）、第３段階で、この検出したスクランブルコードグループの中から一致するスクランブルコードＳＣを検出することによって、セルサーチを行っている（Ｓ2130）。
【００１３】
図２２は、従来の３段セルサーチ法を適用したＭＣ−ＣＤＭＡ方式の移動体通信システムにおいて、無線基地局から無線移動局へ送信情報を伝送する際の、送信情報のデータシンボルとスクランブルコードとの乗算方法の一例を示した図である。
【００１４】
図２２に示す例では、図中に矢印で示した無線基地局の識別を行うためのスクランブルコード（ロングコード）ＳＣの系列長Ｌ（スクランブルコードの繰返し周期と同義で、図中、矢印の長さでその系列長（コード長）を表す）は、サブキャリア数Ｎと等しい値を用いている。また、送信情報のデータシンボルを、Ｎ個のサブキャリアを使用して周波数並びに時間軸上で拡散して生成したＮ×Ｍ個のデータシンボルからなる送信情報系列ＩＳにおいて、時間位置ｔｉで周波数方向にＮ個並んだ送信情報系列ＩＳのデータシンボルにスクランブルコードＳＣを乗算する際は、送信情報系列ＩＳの拡散された１つのデータシンボルの周波数軸上並びに時間軸上双方の振り分けに合わせて、スクランブルコードＳＣを順次直前の時間位置ｔｉ-１の乗算状態から周波数軸方向に１チップ、すなわちデータシンボル１個分ずつシフトさせて乗算を行う例が示されている。
【００１５】
このように、現在の第４世代の移動体通信の研究開発においては、第３世代から第４世代へのシステム移行をスムーズに行えるように考慮がなされ、研究開発が行われている。
【００１６】
【特許文献１】特開２００３−２４４７６３号公報
【特許文献２】特開２００２−２０４２１７号公報
【非特許文献１】丹野元博、新博行、樋口健一、佐和橋衛「下りリンクブロードバンドＯＦＣＤＭにおけるパイロットチャネルを用いる３段セルサーチ法」電子情報通信学会  信学技報  ＲＣＳ−２００２−４０  ｐ．１３５−１４０、２００２年
【発明の開示】
【発明が解決しようとする課題】
【００１７】
非特許文献１で提案されているＭＣ−ＣＤＭＡ方式では、使用する周波数帯域幅が１００ＭＨｚ（サブキャリア数は７６８本）という広い帯域のみを想定している。
【００１８】
ところで、現在、提案されている第３世代以降の移動体通信システムでは、周波数帯域幅は、例えば１.２５，２.５，５，１０，１５，２０，２５ＭＨｚのように狭い帯域幅から上記１００ＭＨｚといった広い帯域幅まで考慮する要求がある。
【００１９】
しかしながら、上述した従来技術のように無線基地局（セル）識別のためのスクランブルコードＳＣのコード長Ｌをサブキャリア数Ｎと同じコード長にした場合、使用できる周波数帯域幅が上述した１００ＭＨｚといった広い周波数帯域幅に対して、例えば１.２５，２.５，５，１０，１５，２０，２５ＭＨｚといったように周波数帯域幅に狭まった場合は、使用できるサブキャリア数Ｎが少なくなり、スクランブルコードＳＣのコード長Ｌも短くなってしまう。
【００２０】
この結果、周波数帯域幅が狭まり、サブキャリア数Ｎが少なくなると、スクランブルコードＳＣのコード長Ｌが短くなり、コード間の相互相関の低いスクランブルコードＳＣのコード数も少なくなり、Ｗ−ＣＤＭＡで使用しているようなコード数分（例えば、５１２個）のセル識別用スクランブルコードＳＣの確保ができなくなり、セル配置等を含めた基地局システム全般の構成を変更しなければならなくなる。
【００２１】
そこで、周波数帯域幅が狭く、使用できるサブキャリア数Ｎが制限される場合であっても、Ｗ−ＣＤＭＡで使用しているようなコード数分のスクランブルコードＳＣを確保するために、特開２００２−２０４２１７号公報（特許文献２）に記載されている如く、サブキャリア数Ｎより長いコード長ＬのスクランブルコードＳＣを、スクランブルコードＳＣのコード長Ｌに到る前にサブキャリア数Ｎに到った場合には、途中で折り返して、スクランブルコードＳＣをサブキャリア数Ｎ分ずつ順番にサブキャリア数Ｎ分の周波数方向に並んだ送信情報系列ＩＳのデータシンボルに割り当てて使用することが考えられている。
【００２２】
図２３は、サブキャリア数よりも長いコード長のスクランブルコードで、送信情報を伝送する例の説明図である。
【００２３】
図２３では、送信情報のデータシンボルを、Ｎ個のサブキャリアを使用して周波数軸上並びに時間軸上で拡散して生成したＮ×Ｍ個のデータシンボルからなる送信情報系列ＩＳに対して、サブキャリア数Ｎの５倍のコード長Ｌを有するスクランブルコードＳＣを乗算した構成を示している。
【００２４】
この場合、送信情報系列ＩＳのフレーム先頭の時間位置ｔ１に周波数方向にＮ個並んだデータシンボルは、スクランブルコードＳＣの先頭からＮ個のデータシンボルとそれぞれ乗算され、送信情報系列ＩＳの次の時間位置ｔ２に周波数方向にＮ個並んだデータシンボルは、スクランブルコードＳＣの折り返した後の次のＮ個のデータシンボルとそれぞれ乗算される、といったような構成になっている。
【００２５】
すなわち、送信情報系列ＩＳのある時間位置ｔｉで周波数方向にＮ個並んだデータシンボルには、スクランブルコードＳＣの先頭から対応する順番のＮ個の折り返したデータシンボルがそれぞれ乗算される構成になっている。その上で、サブキャリア数Ｎよりも長いコード長Ｌを有したスクランブルコードＳＣが乗算された送信情報系列ＩＳの、時間位置ｔｉで周波数方向に並んだＮ個のデータシンボルが、順次送信される構成になっている。
【００２６】
しかしながら、図２３のようにサブキャリア数Ｎより長いコード長ＬのスクランブルコードＳＣをそのコード長Ｌの途中で折り返して、スクランブルコードＳＣの先頭から対応する順番のＮ個のデータドシンボルを割り当てて使用するスクランブルコードＳＣの割り当て方法では、非特許文献１で提案している３段セルサーチ法の第２段階におけるフレーム同期とスクランブルコードグループの同定との同時検出が、フレーム間の隣接する時間位置、すなわちフレーム先頭の時間位置ｔ１とその前のフレームのフレーム末尾の時間位置ｔＭとに周波数方向に並んで配置されたパイロットチャネルＰＬＣＨに乗算されるスクランブルコードＳＣのコード部分（すなわち、スクランブルコードＳＣの先頭から対応する順番のＮ個のデータシンボル）が異なることになってしまうため、フレーム先頭（時間位置ｔ１）のパイロットチャネルＰＬＣＨとその前のフレームのフレーム末尾（時間位置ｔＭ）のパイロットチャネルＰＬＣＨとでは相関ピークが検出できず、送信情報系列ＩＳのフレーム検出（フレーム境界検出）ができなくなり、セルサーチが行えないという問題があった。
【００２７】
本発明は、使用周波数帯域幅が狭く、サブキャリア数Ｎが、Ｗ−ＣＤＭＡで使用しているようなコード数分のスクランブルコードＳＣの確保が可能なスクランブルコードＳＣのコード長Ｌよりも少ない場合であっても、使用周波数帯域幅が広く、Ｗ−ＣＤＭＡで使用しているようなコード数分のスクランブルコードＳＣの確保が可能なサブキャリア数Ｎを有する場合と同様にして、セルサーチにおけるフレーム同期とスクランブルコードグループの同定とが行えるようにしたＭＣ−ＣＤＭＡ方式の移動体通信システム、ＭＣ−ＣＤＭＡ方式の移動体通信システムにおけるスクランブルコードの割り当て方法、並びにＭＣ−ＣＤＭＡ方式の移動体通信システムに用いられる基地局装置及び移動局装置を提供することを目的とする。
【課題を解決するための手段】
【００２８】
上記した課題を解決するために、本発明のＭＣ−ＣＤＭＡ方式の移動体通信システム及びそのスクランブルコードの割り当て方法、並びにこの移動体通信システムに用いられる基地局装置は、フレーム境界で時間方向に互いに隣接させてパイロットチャネルＰＬＣＨを配置し、パイロットチャネルＰＬＣＨそれぞれの、周波数方向に並んだサブキャリア数Ｎ分のデータシンボルに乗算されるスクランブルコードＳＣのデータシンボルの位相配置を、サブキャリア数Ｎより長いコード長ＬのスクランブルコードＳＣをそのコード長Ｌの途中で折り返して使用した場合であっても、一致させるようにした。
【００２９】
本発明のＭＣ−ＣＤＭＡ方式の移動体通信システム及びそのスクランブルコードの割り当て方法、並びにこの移動体通信システムに用いられる基地局装置は、フレーム先頭とフレーム末尾とにそれぞれ配置されるパイロットチャネルＰＬＣＨの周波数方向に並んだサブキャリア数Ｎ分のデータシンボルに乗算されるスクランブルコードＳＣのコード部分（すなわち、スクランブルコードの先頭から対応する順番のＮ個のデータシンボル）を、フレーム先頭のパイロットチャネルＰＬＣＨとその前のフレームのフレーム末尾に配置され時間方向に隣接したパイロットチャネルＰＬＣＨとで、使用周波数帯域幅の違いに基づくサブキャリア数Ｎの違いにかかわらず、常に同じになるようにした。
【００３０】
本発明のＭＣ−ＣＤＭＡ方式の移動体通信システム及びこの移動体通信システムに用いられる移動局装置は、サブキャリア数Ｎの違いにかかわらず、スクランブルコードがかけられた送信情報系列ＩＳの時間方向に互いに隣接する周波数方向に並んだサブキャリア数Ｎ分のデータシンボルの相関ピークを検出することによって、送信情報系列ＩＳのフレーム検出を行うフレーム境界検出部を備えていることを特徴とする。
【００３１】
本発明のＭＣ−ＣＤＭＡ方式の移動体通信システム及びこの移動体通信システムに用いられる移動局装置は、スクランブルコードがかけられた送信情報系列ＩＳから送信情報系列Ｉｓを抽出するデスクランブリング部に供給するスクランブルコードＳＣのコード部分の配置を制御して供給するコード配置制御部を備えていることを特徴とする。
【発明の効果】
【００３２】
本発明によれば、サブキャリア数Ｎよりもコード長Ｌが長いスクランブルコードＳＣであっても、送信情報系列ＩＳのフレーム境界に時間方向に互いに隣接して配置されるパイロットチャネルＰＬＣＨのデータシンボル系列に乗算されるスクランブルコードＳＣのコード部分が一致するように配置することにより、Ｗ−ＣＤＭＡで使用しているようなコード数の確保が可能なコード長Ｌのスクランブルコードを、そのコード長Ｌよりも少ないサブキャリア数Ｎしか確保できない使用周波数帯域幅によるＭＣ−ＣＤＭＡ方式の移動体通信に適用することができる。この結果、無線基地局から移動体通信端末への下りリンクにおいて、使用周波数帯域幅に応じたサブキャリア数Ｎの多少にかかわらず、数多くの種類のスクランブルコードが利用でき、コード間の相互相関の低いスクランブルコードコードＳＣを選択して、基地局に配置できる。
【００３３】
また、本発明によれば、周波数帯域幅が、例えば１.２５，２.５，５，１０，１５，２０，２５ＭＨｚのように狭い帯域幅であっても、１００ＭＨｚといった広い帯域幅の場合と同じ、スクランブルコードＳＣのコード長Ｌがサブキャリア数Ｎと同じ場合のセルサーチ方法が利用できる。すなわち、使用周波数帯域幅に違いにかかわらず、フレーム先頭とフレーム末尾とにそれぞれ配置されるパイロットチャネルＰＬＣＨの周波数方向に並んだサブキャリア数Ｎ分のデータシンボル相互の相関を検出することよって、フレーム境界の検出とスクランブルコードグループの同定とが行える。
【発明を実施するための最良の形態】
【００３４】
本発明の移動体通信システム、移動体通信システムにおけるスクランブルコードの割り当て方法、並びに移動体通信システムに用いられる基地局装置及び移動局装置の実施の形態について、図面とともに説明する。
【００３５】
説明に当たって用いるサブキャリア数Ｎは、Ｗ−ＣＤＭＡで使用しているようなコード数分のスクランブルコードＳＣを確保が可能なサブキャリア数Ｎよりも少ないものとして説明する。
【００３６】
［第１の実施の形態］
本発明の第１の実施の形態による移動体通信システム，移動体通信システムにおけるスクランブルコードの割り当て方法、並びに移動体通信システムに用いられる無線基地局（基地局装置）及び移動体通信端末（無線移動局装置）について、図１〜図１１に基づいて説明する。 
【００３７】
図１は、本実施の形態による無線基地局の構成図である。
無線基地局１は、符号化部１１，データ変調部１２，Ｓ／Ｐ変換部１３，コピー部１４，拡散部１５，ショートコード生成部１６，ＤＴＣＨ多重部１７，ＰＬＣＨ多重部１８，スクランブリング部１９，ＩＦＦＴ部２０，ＧＩ挿入部２１，スクランブルコード生成部２２，及びコード配置制御部２３を備えている。
【００３８】
その上で、無線基地局１では、符号化部１１，データ変調部１２，Ｓ／Ｐ変換部１３，コピー部１４，拡散部１５，ショートコード生成部１６からなるデータチャネル生成部１０が、通信相手に対応して複数組１０−１，１０−２，…，１０−ｍ設けられている。
【００３９】
符号化部１１は、図示省略した送信データ生成部で生成された送信データＤＴが供給され、この送信データＤＴのデータシンボルに対して畳み込み符号化やターボ符号化等の符号化処理を行い、符号化送信データを生成する。
【００４０】
データ変調部１２は、符号化部１１から供給される符号化送信データに、ＱＰＳＫ（Quadrature Phase Shift Keying、４位相偏移変調），１６ＱＡＭ（16 Quadrature Amplitude Modulation）等といったデータ変調を施し、変調送信データを生成する。
【００４１】
Ｓ／Ｐ変換部（直列／並列変換部）１３は、周波数−時間の２次元座標レベルで展開できるように、データ変調部１２から供給される変調送信データを直列／並列変換し、並列送信データを生成する。
【００４２】
コピー部１４は、Ｓ／Ｐ変換部１３から供給される並列送信データのデータシンボルを、ショートコード長分だけ周波数−時間の２次元座標レベルの周波数方向にコピーし、ショートコードによる被拡散用送信データを生成する。
【００４３】
なお、この生成された被拡散用送信データは、周波数−時間の２次元座標レベルの周波数方向に、サブキャリア数Ｎと同じ数のデータシンボルを有したデータになっている。
【００４４】
拡散部１５は、コピー部１４から供給される被拡散用送信データのショートコード長分のデータシンボル毎にショートコード生成部１６で生成されたショートコードのデータシンボルを乗算し、ショートコードによる拡散送信データを生成する。
【００４５】
ショートコード生成部１６は、無線基地局１においてリンクされた各通信者の後述する移動体通信端末２の識別を行うために、通信者すなわち移動体通信端末２毎に割り当てる拡散符号としてのショートコードを生成する。
【００４６】
ＤＴＣＨ（Dedicated Traffic Channel）多重部１７は、データチャネル生成部１０−１，１０−２，…，１０−ｍ毎に拡散部１５により異なるショートコードで拡散された複数の拡散送信データすなわち個別トラフィックチャネルデータ（ＤＴＣＨデータ）を時間多重し、サブキャリア数分のＮ個のデータシンボルが周波数方向に並んだ多重化拡散送信データを生成する。
【００４７】
ＰＬＣＨ（Common Pilot Channel）多重部１８は、ＤＴＣＨ多重部１７から供給される多重化拡散送信データのフレーム先頭とフレーム末尾とに、予めスクランブルコードグループに対応して複数種類（例えば６４種類）準備されたパイロットチャネルＰＬＣＨの中から、当該無線基地局１のスクランブルコードが属するスクランブルコードグループに対応するパイロットチャネルＰＬＣＨのデータシンボルＰＴ，ＰＥを時間多重して、送信情報系列ＩＳを生成する。
【００４８】
なお、このＰＬＣＨ（Common Pilot Channel）多重部１８が多重化拡散送信データのフレーム先頭とフレーム末尾に時間多重するパイロットチャネルＰＬＣＨのデータシンボルＰＴ，ＰＥの具体例については、追って詳述する。
【００４９】
スクランブリング部１９は、ＰＬＣＨ多重部１８から供給される送信情報系列ＩＳの周波数及び時間軸方向に、後述のコード配置制御部２３から供給されるスクランブルコードＳＣのデータシンボルを、周波数方向に並んだ送信情報系列ＩＳのサブキャリア数Ｎ分のデータシンボルに乗算し、スクランブル送信情報系列ＩＳ’を生成する。
【００５０】
ＩＦＦＴ部２０は、スクランブリング部１９から供給されるスクランブル送信情報系列ＩＳ’にＩＦＦＴ（Inverse Fast Fourier Transform、逆高速フーリエ変換）処理を施し、周波数領域のスクランブル送信情報系列ＩＳ’のデータを時間領域のデータに変換し、マルチキャリア送信データを生成する。
【００５１】
ＧＩ（Guard Interval）挿入部２１は、ＯＦＤＭシンボル間の干渉を受けにくくするために、マルチキャリア送信データにガードインターバルを挿入し、ガードインターバルが付加されたＯＦＤＭシンボルを生成する。そして、無線基地局１からは、このガードインターバルが付加されたＯＦＤＭシンボルを、図示省略した直交変調部によって直交変調を施し，送信部で高周波数信号にアップコンバージョンして送信する構成になっている。
【００５２】
スクランブルコード生成部２２は、使用する周波数帯域幅が１００ＭＨｚ（サブキャリア数は７６８本）という広い帯域へ移行した場合における対応や、Ｗ−ＣＤＭＡで使用しているスクランブルコードＳＣのコード長Ｌを考慮して、使用周波数帯域幅が例えば１.２５，２.５，５，１０，１５，２０，２５ＭＨｚのように狭い帯域幅でサブキャリア数Ｎが制限されている場合であっても、その制限されたサブキャリア数Ｎよりもコード長Ｌが長いロングコードのスクランブルコードＳＣを生成する。
【００５３】
本実施の形態では、スクランブルコード生成部２２は、例えば、式(１)で表されるように規定されたデータシンボル系列Ｚを有するスクランブルコードＳＣを生成するものとする。
【００５４】
Ｚ＝［ｚ１，ｚ２，ｚ３，…，ｚＬ］                        式(１)
【００５５】
なお、式(１)において、コード長Ｌは、帯域幅が制限されたサブキャリア数Ｎよりも十分に大きな値で、例えば、後述する図２の場合では、Ｌ＝６×Ｎになっている。また、データシンボル系列Ｚには、擬似ランダム系列であるＰＮ系列又はゴールド系列等の長い符号系列が用いられる。
【００５６】
そして、スクランブルコード生成部２２で生成されたスクランブルコードＳＣは、コード配置制御部２３に供給されるようになっている。
【００５７】
又、スクランブルコード生成部２２は、生成したスクランブルコードＳＣの属するスクランブルコードグループを示す式(２)で表されるように規定されたデータシンボル系列Ｃｋを、ＰＬＣＨ多重部１８に供給するようにもなっている。
【００５８】
Ｃｋ＝［ｃｋ１，ｃｋ２，ｃｋ３，…，ｃｋＮ］                式（２）
【００５９】
ここで、データシンボル系列Ｃｋは、移動体通信端末２にとっても既知のものであり、式（２）において、ｋはそのグループ番号を示している。
【００６０】
コード配置制御部２３は、スクランブルコード生成部２２から供給されるスクランブルコードＳＣのデータシンボル系列Ｚのシンボル配置を、サブキャリア数Ｎに応じて、周波数軸上及び時間軸上に対応させて配置制御し、スクランブリング部１９に供給する。
【００６１】
コード配置制御部２３は、スクランブリング部１９に供給するスクランブルコードＳＣのデータシンボルの配置を、送信情報系列ＩＳのサブキャリア毎のフレーム先頭に対応する周波数方向に並んだＮ個のデータシンボルに乗算する場合と、サブキャリア毎のフレーム末尾に対応する周波数方向に並んだＮ個のデータシンボルに乗算する場合とで、スクランブリング部１９に供給するスクランブルコードＳＣのＮ個のデータシンボルｚが同じになるように、サブキャリア数Ｎよりもコード長Ｌが長いスクランブルコードＳＣのデータシンボルｚの配置を変更して供給する。
【００６２】
本実施の形態の場合は、コード配置制御部２３は、送信情報系列ＩＳの時間位置ｔｉに対応したスクランブルコードＳＣのコード部分について、そのサブキャリア数分（Ｎ個）のデータシンボルｚの周波数方向の配置順自体は変更しないで、スクランブルコードＳＣのそれぞれ時間位置ｔｉに対応したコード部分の時間配置を、送信情報系列ＩＳの時間方向で順番を入れ替える等して供給できる構成になっている。
【００６３】
図２は、本実施形態に係るＭＣ−ＣＤＭＡ方式の移動体通信システムの無線基地局において、無線基地局のスクランブリング部が、パイロットチャネルＰＬＣＨが時間多重化された送信情報系列ＩＳに、スクランブルコードＳＣを乗算する方法の一実施例を示した図である。
【００６４】
図２に示す例では、フレーム長Ｍを“１２”とし、パイロットチャネルＰＬＣＨが時間多重化され、周波数方向にＮ個のサブキャリアを使用して周波数方向並びに時間方向に拡散して生成された送信情報系列ＩＳに対して、サブキャリア数Ｎの６倍のコード長Ｌを有するスクランブルコードＳＣを使用する場合を例に、コード配置制御部２３によるコード配置制御を示したものである。なお、図中において、矢印はスクランブルコードＳＣを表し、その矢印の向きは、周波数方向に対するスクランブルコードＳＣのデータシンボルｚの並び順の方向を示し、矢印の長さはスクランブルコードＳＣのコード長（系列長）Ｌ（＝６×Ｎ）を表している。
【００６５】
本実施例では、コード配置制御部２３は、スクランブリング部１９がフレーム先頭の時間位置ｔ１において周波数方向にＮ個並んだ送信情報系列ＩＳのパイロットチャネルＰＬＣＨのデータシンボルＰＴにスクランブルコードＳＣを乗算する場合は、スクランブルコードＳＣのコード先頭からＮ番目までのデータシンボルｚ１〜ｚＮからなるコード部分をスクランブリング部１９に供給する構成になっている。
【００６６】
そして、コード配置制御部２３は、スクランブリング部１９が次の時間位置ｔ２において周波数方向にＮ個並んだ送信情報系列ＩＳのデータシンボルにスクランブルコードＳＣを乗算する場合は、スクランブルコードＳＣの次の（Ｎ＋１)番目から(２Ｎ)番目までのデータシンボルｚＮ＋１〜ｚ２Ｎからなるコード部分をスクランブリング部１９に供給する構成になっている。
【００６７】
すなわち、コード配置制御部２３は、スクランブリング部１９がフレーム先頭からｉ番目（ただし、１≦ｉ≦６の整数）の時間位置ｔｉにおいて周波数方向にＮ個並んだ送信情報系列ＩＳのデータシンボルにスクランブルコードＳＣを乗算する場合は、スクランブルコードＳＣの先頭から(Ｎ×ｉ−Ｎ＋１)番目から（Ｎ×ｉ)番目までのデータシンボルｚＮ×ｉ−Ｎ＋１〜ｚＮ×ｉからなるコード部分をスクランブリング部１９に供給する構成になっている。
【００６８】
また、コード配置制御部２３は、スクランブルコードＳＣのコード先頭からコード末尾の(６×Ｎ)個のデータシンボルをＮ個ずつ一通りスクランブリング部１９に供給し終えた後は、このスクランブルコードＳＣの (６×Ｎ)個のデータシンボルｚを、コード末尾側からＮ個ずつ、スクランブリング部１９に供給する構成になっている。
【００６９】
図２に示した例では、フレーム先頭からｉ番目（ただし、ｉは(Ｌ／Ｎ)＜ｉ≦Ｍの整数で、本実施例の場合、(Ｌ／Ｎ)＝６で、Ｍ＝１２）の時間位置ｔｉにおいて、コード配置制御部２３は、フレーム先頭からｉ番目（ただし、６＜ｉ≦１２の整数）の時間位置ｔｉにおいては、スクランブルコードＳＣの先頭から(Ｎ×(２×(Ｌ／Ｎ)−ｉ)＋１)番目から(Ｎ×(２×((Ｌ／Ｎ)−ｉ)＋１)番目までのデータシンボルｚＮ×(２×(Ｌ／Ｎ)−ｉ)＋１〜ｚＮ×(２×((Ｌ／Ｎ)−ｉ)＋１からなるコード部分をスクランブリング部１９に供給する構成になっている。
【００７０】
この結果、コード配置制御部２３は、スクランブリング部１９がフレーム末尾のＭ番目すなわち１２番目の時間位置ｔＭ（＝ｔ１２)において周波数方向にＮ個並んだ送信情報系列ＩＳのパイロットチャネルＰＬＣＨのデータシンボルＰＥにスクランブルコードＳＣを乗算する場合は、フレーム先頭の時間位置ｔ１において周波数方向にＮ個並んだ送信情報系列ＩＳのパイロットチャネルＰＬＣＨのデータシンボルＰＴにスクランブルコードＳＣを乗算する場合と同様に、スクランブルコードＳＣのコード先頭からＮ番目までのデータシンボルｚ1〜ｚNからなるコード部分をスクランブリング部１９に供給する構成になっている。
【００７１】
したがって、図２に示した例の場合では、送信情報系列ＩＳのフレーム長Ｍが、スクランブルコードＳＣのコード長Ｌをサブキャリア数Ｎで除算した値の偶数倍になっているため、コード配置制御部２３は、スクランブルコードＳＣの(Ｌ／Ｎ)個に分けたコード部分のデータシンボルを、スクランブルコードＳＣにおけるコード部分の順番に従ってスクランブリング部１９に一通り供給し、次はスクランブルコードＳＣにおけるコード部分の順番を時間方向で逆にしてスクランブリング部１９に供給することを繰り返し行う構成になっている。
【００７２】
これにより、フレーム境界の時間方向に隣接し、周波数方向に並んだパイロットチャネルＰＬＣＨそれぞれのデータシンボルＰＥ，ＰＴにスクランブリング部１９が乗算するスクランブルコードＳＣのコード部分のＮ個のデータシンボルｚは、互いに同じになるようになっている。
【００７３】
一方、スクランブルコード生成部２２から生成されたスクランブルコードＳＣが供給されたＰＬＣＨ多重部１８は、パイロットチャネルＰＬＣＨのデータシンボルＰＴ，ＰＥを例えば次のように生成して、ＤＴＣＨ多重部１７から供給される多重化拡散送信データのフレーム先頭とフレーム末尾に時間多重化し、送信情報系列ＩＳを生成する。
【００７４】
ＰＬＣＨ多重部１８では、パイロットチャネルＰＬＣＨの基本データシンボル系列Ｐを、予め次式(３)のように規定しているものとする。
【００７５】
Ｐ＝［ｐ１，ｐ２，ｐ３，…，ｐＮ］                      式（３）
【００７６】
この式（３）において、ｐｎは、基本データシンボル系列Ｐのｎ番目のサブキャリアに対応するデータシンボルを示している。
【００７７】
その上で、ＰＬＣＨ多重部１８は、多重化拡散送信データのフレーム先頭とフレーム末尾とに次式のようなパイロットチャネルＰＬＣＨのデータシンボルＰＴ，ＰＥを時間多重化し、送信情報系列ＩＳを生成する。
【００７８】
ＰＴ＝［ｚ１＊ｐ１＊ｃｋ１，ｚ２＊ｐ２＊ｃｋ２，ｚ３＊ｐ３＊ｃｋ３，…，ｚＮ＊ｐＮ＊ｃｋＮ］                 式(４)
ＰＥ＝［ｚ１ｐ１，ｚ２ｐ２，ｚ３ｐ３，…，ｚＮｐＮ］            式(５)
【００７９】
なお、上記式（４），式(５)に関して、データシンボルｚｎ＊，ｐｎ＊は、データシンボルｚｎ，ｐｎと複素共役の関係になっている。
【００８０】
したがって、このＰＬＣＨ多重部１８によって生成した送信情報系列ＩＳでは、多重化拡散送信データの時間方向のフレーム先頭とフレーム末尾とに、当該無線基地局１が使用するスクランブルコードＳＣが属するスクランブルコードグループを示したパイロットチャネルＰＬＣＨのデータシンボルＰＴ，ＰＥが周波数方向に配置されている。
【００８１】
次に、図１で説明した無線基地局１とともに移動体移動体通信システムを構成する移動体通信端末２について説明する。
【００８２】
図３は、本実施の形態による移動体通信端末の構成図である。
無線移動局である移動体通信端末２は、ＧＩ除去部３１，ＦＦＴ部３２，デスクランブリング部３３，逆拡散部３４，加算部３５，Ｐ／Ｓ変換部３６，データ復調部３７，復号化部３８，セルサーチ検出部３９，スクランブルコード生成部４０，コード配置制御部４１，及びショートコード生成部４２を備えている。
【００８３】
ＧＩ除去部３１は、受信したＯＦＤＭ信号のガードインターバルＧＩが付加されたＯＦＤＭシンボルから、ガードインターバル区間を除去し、マルチキャリア受信データを取得する。その際、ＯＦＤＭシンボルのガードインターバル区間の相関特性を利用して、セルサーチの第１段階としてシンボル同期をはかる。
【００８４】
ＦＦＴ部３２は、ＧＩ除去部３１から供給されるマルチキャリア受信データにＦＦＴ（Fast Fourier Transform、高速フーリエ変換）処理を行ってＮ個のサブキャリア成分に分離し、無線基地局１のスクランブルコードＳＣで拡散されたスクランブル受信情報系列ＩＲ’を抽出する。
【００８５】
デスクランブリング部３３は、ＦＦＴ部３２によって抽出されたスクランブル受信情報系列ＩＲ’の周波数方向にＮ個並んだサブキャリア毎のデータシンボルに、後述のコード配置制御部４１から供給されるコード配置制御された、所定のスクランブルコードグループに属するスクランブルコードＳＣのデータシンボルを乗算してデスクランブリング処理を行い、パイロットチャネルＰＬＣＨが時間多重化された受信情報系列ＩＲの抽出を行うとともに、さらにこの受信情報系列ＩＲから時間多重化されたパイロットチャネルＰＬＣＨを取り除いて、多重化拡散受信データを抽出する。
【００８６】
逆拡散部３４は、デスクランブリング部３３から供給される多重化拡散受信データのデータシンボルに、ショートコード生成部４２で生成されたショートコードのデータシンボルを乗算して拡散受信データを抽出する。
【００８７】
加算部３５は、拡散受信データのショートコード長分に周波数−時間の２次元方向にコピーされたデータを加算して並列受信データを抽出する。
【００８８】
Ｐ／Ｓ変換部（並列／直列変換部）３６は、周波数−時間の２次元座標レベルで展開されている並列受信データを並列／直列変換し、データ変調されている変調受信データを受信する。
【００８９】
データ復調部３７は、Ｐ／Ｓ変換部３６から供給される変調受信データに復調を施し、符号化受信データを抽出する。
【００９０】
復号化部３８は、畳み込み符号化やターボ符号化等の符号化が施されている符号化受信データを復号化し、受信データＤＲを抽出する。
【００９１】
そして、本実施の形態の移動体通信端末２では、上述したようにして受信データＤＲの抽出が行えるように、セルサーチ検出部３９，スクランブルコード生成部４０，コード配置制御部４１，及びショートコード生成部４２の各部は、次のような構成になっている。
【００９２】
セルサーチ検出部３９は、無線基地局１のスクランブルコードＳＣが乗算されているスクランブル受信情報系列ＩＲ’の時間方向に互いに隣接して配置され、周波数方向にＮ個並んだサブキャリア毎のデータシンボル同士の相関をとり、その相関ピークを検出することによって、無線基地局１のスクランブルコードが乗算されている受信情報系列ＩＲのフレーム境界検出を行う。
【００９３】
すなわち、前述した図２に示すように、無線基地局１では、そのＰＬＣＨ多重部１８が、前述したように、多重化拡散送信データの時間方向のフレーム先頭及びフレーム末尾に、当該無線基地局１が使用するスクランブルコードＳＣが属するスクランブルコードグループを示したパイロットチャネルＰＬＣＨのデータシンボルＰＴ，ＰＥを周波数方向に配置し、データシンボルＰＴ，ＰＥは、式(４) ，式(５)に示した関係になっている。
【００９４】
そのため、セルサーチ検出部３９では、スクランブル受信情報系列ＩＲ’のフレーム境界検出は、受信情報系列ＩＲの時間方向に互いに隣接して配置され、周波数方向にＮ個並んだサブキャリア毎のデータシンボル同士について、同じサブキャリアのデータシンボル同士を乗算することによって算出された値と、スクランブリング部１９が予め所持しているスクランブルコードグループを示す前述の式(２)で規定されたデータシンボル系列Ｃｋのデータシンボルｃｎの相関をとることによって行われ、その相関値のピークが現れるところをフレーム境界と判断する構成になっている。
【００９５】
具体的には、スクランブル受信情報系列ＩＲ’の時間方向に互いに隣接して配置された時間位置ｔｉに対応したサブキャリア数分（Ｎ個）のデータシンボルと、時間位置ｔｉ−１に対応したサブキャリア数分（Ｎ個）のデータシンボルとのサブキャリア毎のデータシンボル同士を乗算することによって算出された値に、スクランブリング部１９が予め所持しているスクランブルコードグループそれぞれのデータシンボル系列Ｃｋのデータシンボルｃｋｎを乗算することによって行われる。
【００９６】
本実施の形態の場合、フレーム境界部分に対応する時間位置ｔｉに対応したサブキャリア数分（Ｎ個）のデータシンボルとしてはデータシンボルＰＴが配置され、同じく隣接する時間位置ｔｉ−１に対応したサブキャリア数分（Ｎ個）のデータシンボルとしてはデータシンボルＰＥが配置されていることになっているので、スクランブリング部１９が予め所持しているスクランブルコードグループＣｋの中から、無線基地局１側でスクランブリング部１９が時間多重したスクランブルコードＳＣが含まれるスクランブルコードグループＣｋのデータシンボルｃｋｎを、データシンボルＰＴ，ＰＥの上述した乗算値に対してさらに乗算した場合には、その相関ピークは最大になる。
【００９７】
これにより、セルサーチ検出部３９は、スクランブル受信情報系列ＩＲ’のフレーム境界の検出と、スクランブルコードグループＣｋの同定とを行える構成になっている。
【００９８】
そして、セルサーチ検出部３９は、今度はこのようにして同定したスクランブルコードグループＣｋに属する複数のスクランブルコードＳＣの供給をスクランブルコード生成部４０から受け、検出したフレーム境界を基にして無線基地局１側で使用しているスクランブルコードＳＣの同定を行う。
【００９９】
その上で、セルサーチ検出部３９は、そのスクランブルコードＳＣを同定した結果と、フレーム境界の検出結果とを、スクランブルコード生成部４０及びショートコード生成部４２に供給する。
【０１００】
スクランブルコード生成部４０は、上述のセルサーチ検出部３９からスクランブルコードＳＣの同定結果とフレーム境界の検出結果とが供給されると、同定されたスクランブルコードＳＣを、同じくセルサーチ検出部３９によって検出されたフレーム境界タイミングとともに、コード配置制御部４１に供給する。
【０１０１】
コード配置制御部４１は、スクランブルコード生成部４０から供給されたフレーム境界タイミングに基づいて、前述した無線基地局１に設けられたコード配置制御部２３と同様な手順で、スクランブルコード生成部２２から供給されるスクランブルコードＳＣのデータシンボルの配置をサブキャリア数Ｎに応じて配置制御して、デスクランブリング部３３に供給する。
【０１０２】
これにより、デスクランブリング部３３は、スクランブル受信情報系列ＩＲ’を、スクランブコードＳＣが乗算されていない受信情報系列ＩＲに復調し、その受信情報系列ＩＲからそのフレーム先頭とフレーム末尾とに時間多重化されているパイロットチャネルＰＬＣＨのデータシンボルＰＴ，ＰＥを取り除いて、多重化拡散受信データを抽出できる構成になっている。
【０１０３】
また、逆拡散部３４は、このセルサーチ検出部３９によって検出されたフレーム境界タイミングを基にして、デスクランブリング部３３から供給される多重化拡散受信データのデータシンボルに、ショートコード生成部４２で生成されたショートコードのデータシンボルを乗算して拡散受信データを抽出する。
【０１０４】
本実施の形態は、上述したように構成され、そのコード配置制御部２３，４１は、スクランブリング部１９又はデスクランブリング部３３に供給するスクランブルコードＳＣのデータシンボルの配置を、送信情報系列ＩＳ，スクランブル受信情報系列ＩＲ’のサブキャリア毎のフレーム先頭に対応する周波数方向に並んだＮ個のデータシンボルに乗算する場合と、送信情報系列ＩＳ，スクランブル受信情報系列ＩＲ’のサブキャリア毎のフレーム末尾に対応する周波数方向に並んだＮ個のデータシンボルに乗算する場合とで、供給するスクランブルコードＳＣのＮ個のデータシンボルｚｎが同じになるようにする。そのためのコード配置制御部２３，４１によるスクランブルコードＳＣのデータシンボルｚｎの配置制御構成、すなわち送信情報系列ＩＳ，スクランブル受信情報系列ＩＲ’に対するスクランブルコードＳＣのデータシンボルｚｎの乗算方法は、上述した図２に示したスクランブルコードＳＣの例に限られるものではなく種々の変形例が可能である。
【０１０５】
また、上記説明した実施の形態では、無線基地局１におけるコード配置制御部２３とスクランブリング部１９、移動体通信端末２におけるコード配置制御部４１とデスクランブリング部３３とは互いに独立構成として説明したが、スクランブリング部１９がコード配置制御部２３の機能を一体的に備えていたり、デスクランブリング部３３がコード配置制御部４１の機能を一体的に備えていたりしても構わない。
【０１０６】
そこで、無線基地局１におけるコード配置制御部２３と移動体通信端末２におけるコード配置制御部４１とは同様な対応構成であるので、説明簡便のため、無線基地局１におけるコード配置制御部２３の構成、及び送信情報系列ＩＳに対するスクランブルコードＳＣのデータシンボルｚｎの乗算方法を例に、本実施の形態における変形例について説明し、対応する移動体通信端末２におけるコード配置制御部４１の構成、及びスクランブル受信情報系列ＩＲ’に対する乗算方法についての説明は省略する。
【０１０７】
図４は、本実施の形態の無線基地局における送信情報系列ＩＳに対するスクランブルコードＳＣのデータシンボルｚｎの乗算方法についての第１の変形例の説明図である。
【０１０８】
図４では、周波数方向にＮ個のサブキャリアを使用して周波数方向並びに時間方向に拡散して生成された送信情報系列ＩＳのフレーム長Ｍを“１２”とし、スクランブルコード生成部２２からはコード長Ｌ＝２ＮのスクランブルコードＳＣのデータシンボル系列Ｚが生成される場合を例に説明する。
【０１０９】
この場合は、コード配置制御部２３は、前述の図２で説明した場合と同様に、スクランブルコード生成部２２から供給されたコード長Ｌ＝２ＮのスクランブルコードＳＣのデータシンボル系列Ｚについて、
Ｚ＝［ｚ１，ｚ２，ｚ３，…，ｚＬ］                        式(１)
スクランブルコードＳＣのデータシンボルｚｎの並び順に、サブキャリア数Ｎの個数ずつスクランブルコードＳＣのデータシンボルｚｎをＬ／Ｎ個のコード部分に分ける。これにより、本実施例の場合は、
ＺＧ１＝［ｚ１，ｚ２，ｚ３，…，ｚＮ］
ＺＧ２＝［ｚＮ＋１，ｚＮ＋２，ｚＮ＋３，…，ｚ２Ｎ］
といった２つの、スクランブルコードＳＣのデータシンボルｚｎのコード部分ＺＧ１，ＺＧ２を生成されることになる。
【０１１０】
その上で、コード配置制御部２３は、このスクランブルコードＳＣのコード部分ＺＧ１，ＺＧ２をスクランブリング部１９に供給して、次のように送信情報系列ＩＳの周波数方向並びに時間方向に拡散されたデータシンボルに、スクランブルコードＳＣのデータシンボル系列Ｚのデータシンボルｚｎを乗算する。
【０１１１】
送信情報系列ＩＳのフレーム先頭の時間位置ｔ１では、送信情報系列ＩＳの周波数方向に並んだＮ個のデータシンボルに、スクランブルコードＳＣのデータシンボルｚｎのコード部分ＺＧ１のデータシンボルｚ１，ｚ２，ｚ３，…，ｚＮを順番にサブキャリア毎に対応させて乗算し、次の時間位置ｔ２では、送信情報系列ＩＳの同じく周波数方向に並んだＮ個のデータシンボルに、スクランブルコードＳＣのデータシンボルｚｎのコード部分ＺＧ２のデータシンボルｚＮ＋１，ｚＮ＋２，ｚＮ＋３，…，ｚ２Ｎを順番にサブキャリア毎に対応させて乗算して、送信情報系列ＩＳのフレーム先頭のデータシンボルから周波数方向並びに時間方向にスクランブルコードＳＣのデータシンボル系列Ｚのデータシンボルｚｎをまず一通り乗算するようになっている。
【０１１２】
その後、次に、送信情報系列ＩＳの残りのデータシンボルにスクランブルコードＳＣのデータシンボル系列Ｚのデータシンボルｚｎを繰り返し乗算する場合には、前回にスクランブルコードＳＣのデータシンボル系列Ｚのデータシンボルｚｎを一通り乗算した場合とスクランブルコードＳＣのデータシンボルｚｎのコード部分ＺＧ１，ＺＧ２の時間方向の並び順を逆にして、時間位置ｔｉ毎の送信情報系列ＩＳの周波数方向にＮ個並んだデータシンボルに対応するスクランブルコードＳＣのコード部分ＺＧｊのデータシンボルｚ（Ｎ−１）ｊ＋１，ｚ（Ｎ−１）ｊ＋２，…，ｚＮｊを順番にサブキャリア毎に対応させて乗算する構成になっている。
【０１１３】
図５は、本実施の形態の無線基地局における送信情報系列ＩＳに対するスクランブルコードＳＣのデータシンボルｚｎの乗算方法についての第２の変形例の説明図である。
【０１１４】
図５では、周波数方向にＮ個のサブキャリアを使用して周波数方向並びに時間方向に拡散して生成された送信情報系列ＩＳのフレーム長Ｍを“１２”とし、スクランブルコード生成部２２からはコード長Ｌ＝３ＮのスクランブルコードＳＣのデータシンボル系列Ｚが生成される場合を例に説明する。
【０１１５】
この場合は、コード配置制御部２３は、前述の図２で説明した場合と同様に、スクランブルコード生成部２２から供給されたコード長Ｌ＝３ＮのスクランブルコードＳＣのデータシンボル系列Ｚについて、スクランブルコードＳＣのデータシンボルｚｎの並び順に、サブキャリア数Ｎの個数ずつスクランブルコードＳＣのデータシンボルｚｎをＬ／Ｎ個のコード部分ＺＧ１〜ＺＧ３に分ける。
【０１１６】
ＺＧ１＝［ｚ１，ｚ２，ｚ３，…，ｚＮ］
ＺＧ２＝［ｚＮ＋１，ｚＮ＋２，ｚＮ＋３，…，ｚ２Ｎ］
ＺＧ３＝［ｚ２Ｎ＋１，ｚ２Ｎ＋２，ｚ２Ｎ＋３，…，ｚ３Ｎ］
【０１１７】
そして、この中の時間方向の並び順が偶数番目のコード部分ＺＧ、すなわちコード部分ＺＧ２についてのみ、コード部分ＺＧ２内におけるスクランブルコードＳＣのデータシンボルｚｎの配置を周波数方向に逆にし、
ＺＧ２＝［ｚ２Ｎ，…，ｚＮ＋３，ｚＮ＋２，ｚＮ＋１］
に変換する。
【０１１８】
その上で、コード配置制御部２３は、このスクランブルコードＳＣのコード部分ＺＧ１〜ＺＧ３をスクランブリング部１９に供給して、スクランブルコードＳＣのデータシンボルｚｎの配置を周波数方向に逆に変換した偶数番目のコード部分ＺＧ２を含むコード部分ＺＧ１，ＺＧ２，ＺＧ３を、前述した実施例と同様にして、送信情報系列ＩＳのデータシンボルと乗算する構成になっている。
【０１１９】
図６は、本実施の形態の無線基地局における送信情報系列ＩＳに対するスクランブルコードＳＣのデータシンボルｚの乗算方法についての第３の変形例の説明図である。
【０１２０】
図６では、周波数方向にＮ個のサブキャリアを使用して周波数方向並びに時間方向に拡散して生成された送信情報系列ＩＳのフレーム長Ｍを“１０”とし、スクランブルコード生成部２２からはコード長Ｌ＝５ＮのスクランブルコードＳＣのデータシンボル系列Ｚが生成される場合を例に説明する。
【０１２１】
この場合、コード配置制御部２３は、スクランブルコードＳＣのデータシンボル系列Ｚ
Ｚ＝［ｚ１，ｚ２，ｚ３，…，ｚＮ，ｚＮ＋１，…，ｚ２Ｎ，ｚ２Ｎ＋１，…，ｚＬ］
から、そのデータシンボルｚｎの並び順を逆にしたデータシンボル系列ＺＲ１と、
ＺＲ１＝［ｚＬ，…，ｚ２Ｎ＋１，ｚ２Ｎ，…，ｚＮ＋１，ｚＮ，…，ｚ３，ｚ２，ｚ１］
データシンボル系列Ｚのデータシンボルｚｎを、そのデータシンボルｚｎの並び順に、サブキャリア数Ｎの個数ずつＬ／Ｎ個のコード部分に分け、さらにそのコード部分内におけるデータシンボルｚｎの配置のみを周波数方向に逆にしたデータシンボル系列ＺＲ２と、
ＺＲ２＝［ｚＮ，ｚＮ−１，…，ｚ２，ｚ１，ｚ２Ｎ，ｚ２Ｎ−１，…，ｚＮ＋１，ｚ３Ｎ，…，ｚＬ，ｚＬ−１，…，ｚＬ−Ｎ＋１］
データシンボル系列Ｚのデータシンボルｚｎを、そのデータシンボルｚｎの並び順に、サブキャリア数Ｎの個数ずつＬ／Ｎ個のコード部分に分け、今度はそのコード部分内におけるデータシンボルｚｎの周波数方向の配置はそのままに、Ｌ／Ｎ個のコード部分の時間配置を時間方向に逆にしたデータシンボル系列ＺＲ３、
ＺＲ３＝［ｚＬ−Ｎ＋１，…，ｚＬ，ｚＬ−２Ｎ＋１，…，ｚＬ−Ｎ，…，ｚ１，ｚ２，…，ｚＮ］
との３つの変形データシンボル系列ＺＲを生成する。
【０１２２】
その上で、コード配置制御部２３は、送信情報系列ＩＳのフレーム先頭の時間位置ｔ１から、送信情報系列ＩＳの周波数方向並びに時間方向に配置されたデータシンボルに、このスクランブルコードＳＣのオリジナルのデータシンボル系列Ｚ並びに変形データシンボル系列ＺＲ１を送信情報系列ＩＳの周波数方向並びに時間方向に合わせて乗算し、送信情報系列ＩＳの次のフレームでは、そのフレーム先頭の時間位置ｔ１から、送信情報系列ＩＳの周波数方向並びに時間方向に配置されたデータシンボルに、この変形データシンボル系列ＺＲ２並びに変形データシンボル系列ＺＲ３を送信情報系列ＩＳの周波数方向並びに時間方向に合わせて乗算する構成になっている。すなわち、送信情報系列ＩＳの２フレーム周期で、送信情報系列ＩＳの周波数方向並びに時間方向に配置されたデータシンボルに、オリジナルのデータシンボル系列Ｚ，変形データシンボル系列ＺＲ１，変形データシンボル系列ＺＲ２，変形データシンボル系列ＺＲ３それぞれのデータシンボルｚｎの乗算が繰り返し行われる構成になっている。
【０１２３】
図７は、本実施の形態の無線基地局における送信情報系列ＩＳに対するスクランブルコードＳＣのデータシンボルｚの乗算方法についての第４の変形例の説明図である。
【０１２４】
図７では、周波数方向にＮ個のサブキャリアを使用して周波数方向並びに時間方向に拡散して生成された送信情報系列ＩＳのフレーム長Ｍを“１０”とし、スクランブルコード生成部２２からはコード長Ｌ＝２.５ＮのスクランブルコードＳＣのデータシンボル系列Ｚが生成される場合を例に説明する。
【０１２５】
この場合は、送信情報系列ＩＳの周波数方向並びに時間方向に配置されたデータシンボルに対するスクランブルコードＳＣのデータシンボル系列Ｚのそれぞれデータシンボルｚｎの乗算方法は、図７で説明した第３の変形例場合と同様で、データシンボル系列Ｚの周波数方向に並んだＮ個のデータシンボルの途中で乗算するスクランブルコードＳＣのオリジナルのデータシンボル系列Ｚ，変形データシンボル系列ＺＲ１，変形データシンボル系列ＺＲ２，変形データシンボル系列ＺＲ３が変更になる点と、一連のオリジナルのデータシンボル系列Ｚ，変形データシンボル系列ＺＲ１，変形データシンボル系列ＺＲ２，変形データシンボル系列ＺＲ３それぞれのデータシンボルｚｎの乗算繰り返し周期が異なる点が、相違した構成になっている。
【０１２６】
図８は、本実施の形態の無線基地局における送信情報系列ＩＳに対するスクランブルコードＳＣのデータシンボルｚｎの乗算方法についての第５の変形例の説明図である。
【０１２７】
図８では、周波数方向にＮ個のサブキャリアを使用して周波数方向並びに時間方向に拡散して生成された送信情報系列ＩＳのフレーム長Ｍを“１０”とし、スクランブルコード生成部２２からはコード長Ｌ＝５ＮのスクランブルコードＳＣのデータシンボル系列Ｚが生成される場合の例に示したものである。
【０１２８】
この場合、コード配置制御部２３は、図５で説明したスクランブルコードＳＣのデータシンボルｚｎの乗算方法と、図６で説明したスクランブルコードＳＣのデータシンボルｚｎの乗算方法とを複合させた乗算方法で、スクランブリング部１９により送信情報系列ＩＳのデータシンボルにスクランブルコードＳＣのデータシンボルｚｎを乗算させるように、スクランブルコードＳＣのデータシンボルｚｎを配置制御する。
【０１２９】
図９，図１０，図１１は、本実施の形態の無線基地局における送信情報系列ＩＳに対するスクランブルコードＳＣのデータシンボルｚｎの乗算方法についての第６，７，８の変形例の説明図である。
【０１３０】
図９，図１０，図１１では、周波数方向にＮ個のサブキャリアを使用して周波数方向並びに時間方向に拡散して生成された送信情報系列ＩＳのフレーム長Ｍを、図９の場合は“１０”、図１０，図１１の場合は“９”とし、スクランブルコード生成部２２からは、図９の場合はコード長Ｌ＝５Ｎ、図１０，図１１の場合はＬ＝３Ｎとして、スクランブルコードＳＣのデータシンボル系列Ｚが生成される場合を例に説明したものである。
【０１３１】
図９，図１０，図１１では、スクランブルコードＳＣのオリジナルのデータシンボル系列Ｚ、又はその変形データシンボル系列ＺＲについて、周波数方向にデータシンボルｚｎがＮ個並んだコード部分それぞれのデータシンボルｚｎの配置は変えないで、各コード部分の時間方向の時間位置ｔｉに対する対応配置のみを変更して、周波数方向にＮ個のサブキャリアを使用して周波数方向並びに時間方向に拡散して生成された送信情報系列ＩＳのデータシンボルに乗算した場合の例を説明したものである。
【０１３２】
以上、図４〜図１１でそれぞれ説明した第６〜第８いずれの変形例においても、フレーム境界の時間方向に隣接し、周波数方向に並んだパイロットチャネルＰＬＣＨのデータシンボルＰＥ，ＰＴそれぞれに、スクランブリング部１９又はデスクランブリング部３３が乗算するスクランブルコードＳＣのコード部分におけるＮ個のデータシンボルｚｎは、互いに同じになるようになっている。
【０１３３】
［第２の実施の形態］
次に、本発明の第２の実施の形態による移動体通信システム，移動体通信システムにおけるスクランブルコードの割り当て方法、並びに移動体通信システムに用いられる無線基地局（基地局装置）及び移動体通信端末（無線移動局装置）について、図１２に基づいて説明する。
【０１３４】
なお、本実施の形態の説明にあたっては、移動体通信システムの無線基地局１及び移動体通信端末２の構成については、図１及び図３に図示した構成と同様であるので図示省略し、各部における機能構成の相違する部分についてのみ、図１及び図３を参照して説明する。また、その説明にあたって、機能構成のみ異なる同様構成については、同じ名称を用いて説明する。
【０１３５】
本実施の形態では、まず無線基地局１において、ＤＴＣＨ多重部１７から供給される多重化拡散送信データのフレーム先頭とフレーム末尾にパイロットチャネルＰＬＣＨのデータシンボルＰＴ，ＰＥを時間多重化し、送信情報系列ＩＳを生成するＰＬＣＨ多重部１８の機能構成が、まず第１の実施の形態の場合と異なっている。
【０１３６】
ＰＬＣＨ多重部１８では、多重化拡散送信データのフレーム先頭とフレーム末尾に時間多重するパイロットチャネルＰＬＣＨのデータシンボルをＰＴ，ＰＥとし、例えば、パイロットチャネルＰＬＣＨのデータシンボルＰＴの配列を、式（３）に示したパイロットチャネルＰＬＣＨの基本データシンボル系列Ｐのままだとすると、
Ｐ＝ＰＴ＝［ｐ１，ｐ２，ｐ３，…，ｐＮ］                   式（３）
パイロットチャネルＰＬＣＨのデータシンボルＰＥの配列は、スクランブルコードＳＣのコードグループに対応させたチップ分だけ、パイロットチャネルＰＬＣＨの基本データシンボル系列Ｐの位相をシフトして生成する。例えば、式（６）は、１チップ分だけ位相をシフトして生成したパイロットチャネルＰＬＣＨのデータシンボルＰＥを示す。
【０１３７】
ＰＥ＝［ｐＮ，ｐ１，ｐ２，ｐ３，…，ｐＮ−２，ｐＮ−１］     式（６）
【０１３８】
そして、本実施の形態の場合では、ＰＬＣＨ多重部１８は、このように構成されたパイロットチャネルＰＬＣＨのデータシンボルＰＴと、スクランブルコードＳＣのコードグループに対応させたチップ分だけ位相をシフトしたデータシンボルＰＥとを、多重化拡散送信データのフレーム先頭とフレーム末尾に時間多重する構成になっている。
【０１３９】
また、このＰＬＣＨ多重部１８の機能構成の相違に伴い、コード配置制御部２３及びスクランブリング部１９は、周波数方向にＮ個のサブキャリアを使用して周波数方向並びに時間方向に拡散して生成された送信情報系列ＩＳに、図１２に示すようにしてスクランブルコードＳＣのデータシンボル系列Ｚのデータシンボルｚｎを乗算する。
【０１４０】
図１２は、本実施の形態の無線基地局における送信情報系列ＩＳに対するスクランブルコードＳＣのデータシンボルｚｎの乗算方法についての実施例の説明図である。
【０１４１】
図１２では、周波数方向にＮ個のサブキャリアを使用して周波数方向並びに時間方向に拡散して生成された送信情報系列ＩＳのフレーム長Ｍを“１２”とし、スクランブルコード生成部２２からはコード長Ｌ＝６ＮのスクランブルコードＳＣのデータシンボル系列Ｚが生成される場合の例に示したものである。
【０１４２】
本実施の形態の場合も、コード配置制御部２３は、前述の実施の形態で例えば図２で説明した場合と同様にして、フレーム境界の時間方向に隣接し、周波数方向に並んだパイロットチャネルＰＬＣＨそれぞれのデータシンボルＰＥ，ＰＴにスクランブリング部１９が乗算するスクランブルコードＳＣのコード部分のＮ個のデータシンボルｚｎは、互いに同じになるように、スクランブルコードＳＣのデータシンボル系列Ｚを配置制御する。
【０１４３】
さらに、送信情報系列ＩＳの時間方向末尾の時間位置ｔＭ、すなわち時間位置ｔ１２に配置されるコード部分のデータシンボルｚＬ−Ｎ＋１，ｚＬ−Ｎ＋２，…，ｚＬ−１，ｚＬについては、このコード部分内において、スクランブルコードＳＣのコードグループに対応させたチップ分だけ位相がシフトされたデータシンボルＰＥに対応させて位相をシフトし、データシンボルｚＬ，ｚＬ−Ｎ＋１，ｚＬ−Ｎ＋２，…，ｚＬ−２，ｚＬ−１に変換する配置制御構成になっている。
【０１４４】
これに対して、移動体通信端末２は、上述した基地局１におけるコード配置制御部２３及びスクランブリング部１９の機能構成の相違に合わせて、そのコード配置制御部４１及びデスクランブリング部３３の機能構成も、前述した第１の実施の形態の場合に対して変更されたものになっている。
【０１４５】
また、セルサーチ検出部３９は、無線基地局１のスクランブルコードＳＣが乗算されているスクランブル受信情報系列ＩＲ’の時間方向に互いに隣接して配置され、周波数方向にＮ個並んだサブキャリア毎のデータシンボル同士の相関をとり、その相関ピークを検出することによって、フレーム境界の検出を行うとともに、その際の位相のずれによりスクランブルコードグループの同定を行う構成になっている。
【０１４６】
［第３の実施の形態］
次に、本発明の第３の実施の形態による移動体通信システム，移動体通信システムにおけるスクランブルコードの割り当て方法、並びに移動体通信システムに用いられる無線基地局（基地局装置）及び移動体通信端末（無線移動局装置）について、図１３，図１４に基づいて説明する。
【０１４７】
図１３は、本発明の第３の実施の形態による移動体通信システムにおける無線基地局の構成図である。
【０１４８】
図１４は、本実施の形態による移動体通信端末の構成図である。
なお、本実施の形態の説明にあたっては、前述した図１に示した無線基地局１，図３に示した移動体通信端末２と同じ構成については同一符号を使用し、その説明を省略する。
【０１４９】
図１３において、本実施の形態による無線基地局１は、図１に示したようにスクランブルコード生成部２２で生成されたスクランブルコードＳＣのデータシンボル系列Ｚにおけるデータシンボル配置をコード配置制御部２３で配置制御して供給するのではなく、それぞれ配置制御されたデータシンボルからなる対応するデータシンボル系列Ｚを生成する複数の専用スクランブルコード生成部２２−１〜２２−ｍを備えており、供給切替スイッチ部２４を介して、スクランブリング部１９に選択供給する構成になっている。    
【０１５０】
例えば、前述した図６で説明した送信情報系列ＩＳに対するスクランブルコードＳＣのデータシンボルｚｎの乗算方法に適用した場合は、データシンボル系列Ｚが、
Ｚ＝［ｚ１，ｚ２，ｚ３，…，ｚＮ，ｚＮ＋１，…，ｚ２Ｎ，ｚ２Ｎ＋１，…，ｚＬ］
になっているオリジナルのスクランブルコードＳＣ１を記憶するスクランブルコード生成部２２−１と、そのデータシンボルｚｎの並び順を逆にしたデータシンボル系列ＺＲ１からなる
Ｚ＝［ｚＬ，…，ｚ２Ｎ＋１，ｚ２Ｎ，…，ｚＮ＋１，ｚＮ，…，ｚ３，ｚ２，ｚ１］
第２のスクランブルコードＳＣ２を記憶するスクランブルコード生成部２２−２とを有した構成になっている。
【０１５１】
図１４において、移動体通信端末２は、図３に示したようにスクランブルコード生成部２２で生成されたスクランブルコードＳＣのデータシンボル系列Ｚにおけるデータシンボル配置をコード配置制御部４１で配置制御して供給するのではなく、セルサーチ検出部３９によって特定された無線基地局１のスクランブルコードＳＣを基に、このスクランブルコードＳＣのデータシンボル系列ＺそのままのスクランブルコードＳＣ１を生成する専用スクランブルコード生成部４０−１と、このデータシンボル系列Ｚを基に所定の手順で変換した別のデータシンボル系列ＺＲ１からなるスクランブルコードＳＣ２を生成する専用スクランブルコード生成部４０−２と、これらデータシンボル系列Ｚ，ＺＲ１をデスクランブリング部３３に選択供給する供給切替スイッチ部４３とをさらに有する構成になっている。
【０１５２】
［第４の実施の形態］
次に、本発明の第４の実施の形態による移動体通信システム，移動体通信システムにおけるスクランブルコードの割り当て方法、並びに移動体通信システムに用いられる無線基地局（基地局装置）及び移動体通信端末（無線移動局装置）について、図１５〜図１９に基づいて説明する。
【０１５３】
図１５は、本実施の形態による移動体通信システムのシステム構成についての説明図である。
本実施の形態では、図１５に示すように、全サブキャリアＮを複数のブロックＢＬ（ブロックＢＬ−１〜ＢＬ−１６）に分割し、無線伝搬環境の良好なユーザーに対しては、１つ以上のブロックＢＬを割当て、伝搬環境の劣悪なユーザーに対しては、符号化率を低く設定し、又は周波数軸の符号拡散を行い、さらに全サブキャリアＮ０に対してブロックＢＬを割り当てる構成のシステムになっている。
【０１５４】
図１５において、ブロックＢＬaは、周波数方向に全サブキャリアＮを４分割し、時間方向には１フレーム長Ｌを有し、周波数方向に比して時間方向に拡散されたブロックＢＬを、ブロックＢＬbは、周波数方向に全サブキャリアＮを分割しないで、時間方向に１フレーム長Ｌを４分割し、時間方向に比して周波数方向に拡散されたブロックＢＬを、それぞれ表している。
【０１５５】
図１６は、本実施の形態による移動体通信システムにおける無線基地局の構成図である。なお、その説明に当っては、図１に示した無線基地局１の場合と同一若しくは対応する構成部分については、同じ符号を付して説明する。
【０１５６】
無線基地局１０１は、符号化部１１，データ変調部１２，Ｓ／Ｐ変換部１３，ＤＴＣＨ多重部１７，ＰＬＣＨ多重部１８，スクランブリング部１９，ＩＦＦＴ部２０，ＧＩ挿入部２１，スクランブルコード生成部２２，及びコード配置制御部２３を備えている。
【０１５７】
本実施の形態の無線基地局１０１では、図１に示した無線基地局１の場合とは異なり、符号化部１１には、各ユーザー宛別のデータパケットが送信データＤＴとして供給される構成になっている。そのため、符号化部１１は、この各ユーザー宛別のデータパケットより構成される送信データＤＴのデータシンボルに対して畳み込み符号化やターボ符号化等の符号化処理を行い、符号化送信データを生成する。
【０１５８】
データ変調部１２は、符号化部１１から供給される符号化送信データに、ＱＰＳＫ，１６ＱＡＭ等といったデータ変調を施し、変調送信データを生成する。
【０１５９】
Ｓ／Ｐ変換部１３は、周波数−時間の２次元座標レベルで展開できるように、データ変調部１２から供給される変調送信データを直列／並列変換し、並列送信データを生成する。
【０１６０】
ＤＴＣＨ多重部１７は、Ｓ／Ｐ変換部１３から供給される、各ユーザー宛別のデータパケットに対応した並列送信データすなわち個別トラフィックチャネルデータ（ＤＴＣＨデータ）を多重化し、サブキャリア数分のＮ個のデータシンボルが周波数方向に並んだ多重化拡散送信データを生成する。
【０１６１】
ＤＴＣＨ多重部１７は、Ｓ／Ｐ変換部１３から供給される各ユーザー宛別の個別トラフィックチャネルデータを、前述した無線伝搬環境等に基づいて、図１５で説明したように、サブキャリア数分のＮ個のチップをそのまま時間方向に比して周波数方向に拡散されたブロックＢＬaに、又はサブキャリアを適宜分割して形成され周波数方向に比して時間方向に拡散されたブロックＢＬaのチップに割り当てることによって、サブキャリア数分のＮ個のデータシンボルが周波数方向又は時間方向に拡散された多重化拡散送信データを生成する。
【０１６２】
ＰＬＣＨ多重部１８は、ＤＴＣＨ多重部１７から供給されるブロック形式での多重化拡散送信データの時間フレーム先頭とフレーム末尾とに、予めスクランブルコードグループに対応して複数種類（例えば６４種類）準備されたパイロットチャネルＰＬＣＨの中から、当該無線基地局１のスクランブルコードが属するスクランブルコードグループに対応するパイロットチャネルＰＬＣＨを、前述した実施の形態の場合と同様にして時間多重して、送信情報系列ＩＳを生成する。
【０１６３】
スクランブリング部１９は、ＰＬＣＨ多重部１８から供給される送信情報系列ＩＳの周波数及び時間軸方向に、後述のコード配置制御部２３から供給されるスクランブルコードＳＣのデータシンボルを、この送信情報系列ＩＳのデータシンボルに乗算し、スクランブル送信情報系列ＩＳ’を生成する。
【０１６４】
ＩＦＦＴ部２０は、スクランブリング部１９から供給されるスクランブル送信情報系列ＩＳ’にＩＦＦＴ処理を施し、周波数領域のスクランブル送信情報系列ＩＳ’のデータを時間領域のデータに変換し、マルチキャリア送信データを生成する。
【０１６５】
ＧＩ挿入部２１は、ＯＦＤＭシンボル間の干渉を受けにくくするために、マルチキャリア送信データにガードインターバルを挿入し、ガードインターバルが付加されたＯＦＤＭシンボルを生成する。そして、無線基地局１０１からは、このガードインターバルが付加されたＯＦＤＭシンボルを、図示省略した直交変調部によって直交変調を施し，送信部で高周波数信号にアップコンバージョンして送信する構成になっている。
【０１６６】
スクランブルコード生成部２２は、制限されたサブキャリア数Ｎよりもコード長Ｌが長いロングコードのスクランブルコードＳＣを生成する。
【０１６７】
コード配置制御部２３は、スクランブリング部１９に供給するスクランブルコードＳＣのデータシンボルｚｎの配置を、送信情報系列ＩＳのフレーム先頭で周波数方向に並んだサブキャリア毎の対応するデータシンボルに乗算する場合と、送信情報系列ＩＳのフレーム末尾で周波数方向に並んだサブキャリア毎のデータシンボルに乗算する場合とで、スクランブリング部１９に供給するスクランブルコードＳＣの周波数方向に並んだデータシンボルｚｎが同じになるように、サブキャリア数Ｎよりもコード長Ｌが長いスクランブルコードＳＣのデータシンボルｚｎの配置を変更して供給する。
【０１６８】
図１７は、本実施の形態による移動体通信システムにおける移動体通信端末の構成図である。なお、その説明に当っては、図３に示した無線基地局１の場合と同一若しくは対応する構成部分については、同じ符号を付して説明する。
【０１６９】
移動体通信端末１０２は、ＧＩ除去部３１，ＦＦＴ部３２，デスクランブリング部３３，Ｐ／Ｓ変換部３６，データ復調部３７，復号化部３８，セルサーチ検出部３９，スクランブルコード生成部４０，及びコード配置制御部４１を備えている。
【０１７０】
ＧＩ除去部３１は、受信したＯＦＤＭ信号のガードインターバルＧＩが付加されたＯＦＤＭシンボルから、ガードインターバル区間を除去し、マルチキャリア受信データを取得する。その際、ＯＦＤＭシンボルのガードインターバル区間の相関特性を利用して、セルサーチの第１段階としてシンボル同期をはかる。
【０１７１】
ＦＦＴ部３２は、ＧＩ除去部３１から供給されるマルチキャリア受信データにＦＦＴ（Fast Fourier Transform、高速フーリエ変換）処理を行ってＮ個のサブキャリア成分に分離し、無線基地局１のスクランブルコードＳＣで拡散されたスクランブル受信情報系列ＩＲ’を抽出する。
【０１７２】
デスクランブリング部３３は、ＦＦＴ部３２によって抽出されたスクランブル受信情報系列ＩＲ’の周波数方向にＮ個並んだサブキャリア毎のデータシンボルに、後述のコード配置制御部４１によってコード配置制御された、セルサーチ検出部３９によって同定された無線基地局１０１が使用したスクランブルコードＳＣのデータシンボルを乗算してデスクランブリング処理を行い、パイロットチャネルＰＬＣＨが時間多重化された受信情報系列ＩＲの抽出を行うとともに、さらにこの受信情報系列ＩＲから時間多重化されたパイロットチャネルＰＬＣＨを取り除いて、多重化拡散受信データを抽出する。
【０１７３】
Ｐ／Ｓ変換部（並列／直列変換部）３６は、周波数−時間の２次元座標レベルで展開されている多重化拡散受信データを並列／直列変換し、データ変調されている変調受信データを受信する。
【０１７４】
データ復調部３７は、Ｐ／Ｓ変換部３６から供給される変調受信データに復調を施し、符号化受信データを抽出する。
【０１７５】
復号化部３８は、畳み込み符号化やターボ符号化等の符号化が施されている符号化受信データを復号化し、受信データＤＲを抽出する。
【０１７６】
セルサーチ検出部３９は、３段セルサーチ法の第２段階として、無線基地局１のスクランブルコードＳＣが乗算されているスクランブル受信情報系列ＩＲ’の時間方向に互いに隣接して配置されたサブキャリア数分のＮ個のデータシンボルのうち、当該移動体通信端末１０２が現在受信することができる受信可能帯域幅のサブキャリア数分の周波数方向に並んだＮ’個（ただし、Ｎ’≦Ｎ）のデータシンボル同士の相関をとり、その相関ピークを検出することによって、無線基地局１のスクランブルコードが乗算されている受信情報系列ＩＲ’のフレーム境界検出を行うとともに、スクランブルコードグループの同定を行う。
【０１７７】
なお、この場合における移動体通信端末１０２が現在受信することができる受信可能帯域幅は、仮に無線基地局１０１側で１００ＭＨｚといった広い周波数帯域幅を使用して送信データＤＴを送信しているものと仮定した場合の、例えば１００ＭＨｚといったような広帯域の周波数帯域幅、１.２５，２.５，５，１０，１５，２０，２５ＭＨｚといったような狭帯域の周波数帯域幅であり、移動体通信端末１０２自体の構成は、これらの中の一の周波数帯域幅にその受信可能帯域幅（受信サブキャリア数）が固定されている構成であっても、これらの中の複数の周波数帯域幅のいずれにも対応可能な構成であっても、どちらでも構わない。
【０１７８】
さらに、セルサーチ検出部３９は、この同定したスクランブルコードグループに基づいて、無線基地局１０１が使用するスクランブルコードＳＣの同定を行い、同定した結果とフレーム境界の検出結果とを、スクランブルコード生成部４０に供給する。
【０１７９】
スクランブルコード生成部４０は、上述のセルサーチ検出部３９からスクランブルコードＳＣの同定結果とフレーム境界の検出結果とが供給されると、同定されたスクランブルコードＳＣを、同じくセルサーチ検出部３９によって検出されたフレーム境界タイミングとともに、コード配置制御部４１に供給する。
【０１８０】
スクランブルコード生成部４０は、上述のセルサーチ検出部３９からスクランブルコードＳＣの同定結果とフレーム境界の検出結果とが供給されると、同定されたスクランブルコードＳＣを、同じくセルサーチ検出部３９によって検出されたフレーム境界タイミングとともに、コード配置制御部４１に供給する。
【０１８１】
コード配置制御部４１は、スクランブルコード生成部４０から供給されたフレーム境界タイミングに基づいて、前述した無線基地局１０１に設けられたコード配置制御部２３と同様な手順で、スクランブルコード生成部４０から供給されるスクランブルコードＳＣのデータシンボルの配置をサブキャリア数Ｎに応じて配置制御して、デスクランブリング部３３に供給する。
【０１８２】
これにより、デスクランブリング部３３は、スクランブル受信情報系列ＩＲ’を、スクランブコードＳＣが乗算されていない受信情報系列ＩＲに復調し、その受信情報系列ＩＲからそのフレーム先頭とフレーム末尾とに時間多重化されているパイロットチャネルＰＬＣＨのデータシンボルＰＴ，ＰＥを取り除いて、多重化拡散受信データを抽出できる構成になっている。
【０１８３】
次に、本実施の形態の無線基地局１０１における送信情報系列ＩＳに対するスクランブルコードＳＣのデータシンボルｚｎの乗算方法について、図１８及び図１９により説明する。
【０１８４】
図１８は、本実施の形態の無線基地局における送信情報系列ＩＳに対するスクランブルコードＳＣのデータシンボルｚｎの乗算方法についての第１の実施例の説明図である。
【０１８５】
図１８では、無線基地局１０１は、周波数方向にＮ個のサブキャリアを使用したフレーム長Ｍが“８”の送信情報系列ＩＳに、図１５で説明したような、ブロックＢＬａ又はブロックＢＬｂを分割形成する。
【０１８６】
そして、無線基地局１０１は、その送信情報系列ＩＳにブロックＢＬａが形成されているか、又はブロックＢＬｂが形成されているかにかかわらず、そのコード配置制御部２３が、サブキャリア数Ｎよりも長いコード長Ｌ＝４ＮのスクランブルコードＳＣのデータシンボルｚｎを配置制御して、スクランブリング部１９にこのスクランブルコードＳＣの配置制御によって構成されたＮ個のデータシンボルｚｎからなるコード部分を供給して、送信情報系列ＩＳの周波数方向にサブキャリア数分Ｎ個並んだデータシンボルに乗算させる構成になっている。図１８に示した例では、送信情報系列ＩＳの周波数方向にサブキャリア数分のＮ個並んだデータシンボルには、スクランブルコード生成部２２から供給されたコード長Ｌ＝４ＮのスクランブルコードＳＣのデータシンボル系列を、図４で説明した乗算方法と同様にして乗算した例を示している。
【０１８７】
本実施例の場合は、送信情報系列ＩＳの受信可能帯域幅がサブキャリア数Ｎ分の移動体通信端末１０２ａを複数用いて、ブロックＢＬａ，ＢＬｂ毎に、各移動体通信端末１０２ａ宛のデータパケットを割り当てて、送信情報系列ＩＳを状況に応じて周波数分割多重化又は時分割多重化して、各移動体通信端末１０２ａのユーザー宛別のデータパケットをブロックＢＬａ，ＢＬｂに割り当てて送信することができる。
【０１８８】
図１９は、本実施の形態の無線基地局における送信情報系列ＩＳに対するスクランブルコードＳＣのデータシンボルｚｎの乗算方法についての第２の実施例の説明図である。
【０１８９】
本実施例は、例えば、無線基地局１０１から互いに受信可能帯域幅が異なる移動体通信端末１０２に対しての送信情報系列ＩＳに対するスクランブルコードＳＣのデータシンボルｚｎの乗算に適用した例を示している。
【０１９０】
図１９では、周波数方向にＮ個のサブキャリアを使用したフレーム長Ｍが“８”の送信情報系列ＩＳを例に、この送信情報系列ＩＳをさらに周波数方向若しくは時間方向に分割して個別ブロックＢＬａ，ＢＬｂを規定し、互いに受信可能帯域幅が異なる複数の移動体通信端末１０２に対して、送信データＤｔを送信する場合を示している。
【０１９１】
ここでは、互いに受信可能帯域幅が異なる複数の移動体通信端末１０２として、例えば、受信可能帯域幅がサブキャリア数Ｎ分の移動体通信端末１０２ａ、受信可能帯域幅がサブキャリア数Ｎの４分の１の移動体通信端末１０２ｂ、受信可能帯域幅がサブキャリア数Ｎ分の移動体通信端末１０２ａであっても例えば無線伝搬環境等の原因によって受信可能帯域幅が制限されている移動体通信端末１０２ａ’等を想定し、これら移動体通信端末１０２ａ，１０２ｂ，１０２ａ’に送信データＤｔを送信する場合を示している。
【０１９２】
なお、これら移動体通信端末１０２ａ，１０２ｂ，１０２ａ’の構成については、受信可能帯域幅が制限されているか否か以外は、図１７で説明した移動体通信端末１０２の構成と同様であるため、個々の図示及び詳細な説明は省略する。
【０１９３】
図１９において、時間方向に２番目のフレームの送信情報系列ＩＳは、移動体通信端末１０２ａ用にサブキャリア数Ｎはそのままでフレーム長Ｍ＝８を４分割した４分の１フレーム長のブロックＢＬａが、時間方向に４つ連設された構成になっている。また、時間方向に１番目，３番目，及び４番目のフレームの送信情報系列ＩＳは、移動体通信端末１０２ｂ用にサブキャリア数Ｎを４分割した１フレーム長のブロックＢＬｂが、周波数方向に４つ連設された構成になっている。
【０１９４】
この場合、ブロックＢＬａとブロックＢＬｂとが連接する送信情報系列ＩＳのフレーム境界において、移動体通信端末１０２ａ及び移動体通信端末１０２ｂ，１０２ａ’のセルサーチ検出部３９が前述した実施の形態で説明した場合と同様にして、フレーム境界の検出とスクランブルコードグループの同定とが行えるように、無線基地局１０１のコード配置制御部２３及びスクランブリング部１９は、例えば図１９中に記載した矢印で示すようにして、送信情報系列ＩＳのデータシンボルにスクランブルコードＳＣのデータシンボルｚｎを乗算する。
【０１９５】
本実施例では、コード配置制御部２３は、ブロックＢＬａがその時間方向に分割形成された送信情報系列ＩＳの周波数方向にＮ個並んだデータシンボルに、式(１)で表されるように規定されたデータシンボル系列Ｚを有するスクランブルコードＳＣのデータシンボルｚｎを乗算する場合は、送信情報系列ＩＳの周波数方向にＮ個並んだデータシンボルに、スクランブルコードＳＣのデータシンボルｚｎをそのままサブキャリア毎に対応させて、スクランブリング部１９により乗算させる構成になっている。
【０１９６】
これに対して、コード配置制御部２３は、ブロックＢＬｂがその周波数方向に分割形成された送信情報系列ＩＳの周波数方向にＮ個並んだデータシンボルに、式(１)で表されるように規定されたデータシンボル系列Ｚを有するスクランブルコードＳＣのデータシンボルｚｎを乗算する場合は、例えばそのフレーム先頭の時間位置ｔ１では、ブロックＢＬａがその時間方向に分割形成された送信情報系列ＩＳの場合と同様に、送信情報系列ＩＳの周波数方向にＮ個並んだデータシンボルに、スクランブルコードＳＣのデータシンボルｚｎをそのままサブキャリア毎に対応させてスクランブリング部１９により乗算させる構成になっている。
【０１９７】
そして、コード配置制御部２３は、フレーム先頭とフレーム末尾との間の時間位置ｔ２〜ｔＭ−１では、スクランブルコードＳＣのデータシンボル系列Ｚを、送信情報系列ＩＳの移動体通信端末１０２ｂによる受信可能帯域幅に対応するサブキャリア数分（図示の例の場合は、Ｎ／４チップずつ）、その前の時間位置ｔｉ−１に対して一定方向にシフトさせ、その時間位置ｔｉに対応したシフト配置のスクランブルコードＳＣのデータシンボルｚｎを、情報系列ＩＳの周波数方向にＮ個並んだデータシンボルに乗算させる構成となっている。
【０１９８】
これにより、コード配置制御部２３は、フレーム末尾の時間位置ｔＭでは、フレーム先頭の時間位置ｔ１の場合と同様に、送信情報系列ＩＳの周波数方向にＮ個並んだデータシンボルに、スクランブルコードＳＣのデータシンボルｚｎをそのままサブキャリア毎に対応させて、スクランブリング部１９により乗算させることができるようになっている。
【０１９９】
この結果、送信情報系列ＩＳのフレーム先頭とフレーム末尾とに配置されたパイロットチャネルＰＬＣＨには、送信情報系列ＩＳがその時間方向にブロックＢＬａに分割されていようと、その周波数方向にブロックＢＬｂに分割されていようとにかかわらず、スクランブルコードＳＣのデータシンボルｚｎがサブキャリア毎にフレーム先頭とフレーム末尾とで同じように乗算されることになる。
【０２００】
さらに、その際には、送信情報系列ＩＳを周波数方向に分割して形成されたブロックＢＬｂそれぞれのデータシンボルにも、スクランブルコードＳＣのデータシンボルｚｎがブロックＢＬａの場合と同じ所定の配列性を有して乗算されるので、受信可能帯域幅がサブキャリア数Ｎの４分の１の移動体通信端末１０２ｂや、例えば無線伝搬環境等の原因によって受信可能帯域幅が制限されている移動体通信端末１０２ａ’に対しても、受信可能帯域幅のサブキャリア数Ｎ／４より長い、受信可能帯域幅がサブキャリア数Ｎ分の移動体通信端末１０２ａの場合と同じコード長Ｌ＝Ｎを有したサンプルスクランブルコードＳＣを用いて、ブロックＢＬｂのデータシンボルを送信することができる。
【０２０１】
そのため、無線基地局１０１は、受信可能帯域幅が狭い移動体通信端末１０２ｂ，１０２ａ’に対しても、スクランブルコードＳＣの確保に不足を来たすことはなく、それぞれに情報を送信することができる。
【０２０２】
また、上記無線基地局１０１の構成に呼応して、図１７に示した本実施の形態の移動体通信端末１０２におけるコード配置制御部４１の構成は、送信情報系列ＩＳのブロックＢＬａ部分又はブロックＢＬｂ部分を選択的に、またフレームを同じくして周波数方向に並んで配置された複数のブロックＢＬｂの中の１つを選択的に受信することができる構成になっている。
【０２０３】
そのために、コード配置制御部４１は、移動体通信端末１０２ａ側で設定した受信可能帯域幅又は無線基地局１０１からの送信電波の送信帯域幅の検出結果に応じて、セルサーチ検出部３９の同定結果に基づいてスクランブルコード生成部４０から供給される同定されたスクランブルコードＳＣの配置制御の切り替えが行える構成になっている。
【０２０４】
すなわち、図１９に示した送信情報系列ＩＳを例に説明すれば、次に述べるような構成のスクランブルコードＳＣの切替手段がコード配置制御部４１には設けられている。
【０２０５】
すなわち、コード配置制御部４１は、受信可能帯域幅が全サブキャリア数Ｎに設定されているか、又は全サブキャリアの受信が可能な状態の場合は、式(１)で表されるように規定されたデータシンボル系列Ｚを有するスクランブルコードＳＣのデータシンボルｚｎをそのままの配置でデスクランブリング部３３に供給し、送信情報系列ＩＳのブロックＢＬａ部分をデスクランブリングする。
【０２０６】
また、コード配置制御部４１は、受信可能帯域幅が送信情報系列ＩＳのブロックＢＬｂ部分に設定されているか、又は全サブキャリアの受信ができない状態の場合は、当該ブロックＢＬｂ部分のフレーム先頭に配置されたパイロットチャネルＰＬＣＨのデータシンボルに乗算されるスクランブルコードＳＣのコード部分を基準にして、当該ブロックＢＬｂ部分の時間位置ｔｉに対応させて、その余のスクランブルコードＳＣのコード部分の配置を予め定められた配置変更方法にしたがって配置変更し、スクランブルコードＳＣの該当コード部分のデータシンボルｚｎをデスクランブリング部３３に供給する。
【０２０７】
これにより、本実施例のスクランブルコードＳＣのデータシンボルｚｎの乗算方法によれば、受信可能帯域がそれぞれ異なる移動体通信端末１０２ａ，１０２ｂ，１０２ａ’に対して、同じ１つの送信情報系列ＩＳを使用して、無線基地局１０１と各移動体通信端末１０２ａ，１０２ｂ，１０２ａ’それぞれとの間で、セルサーチを行って、無線基地局１０１とのリンクを接続することができる。
【０２０８】
以上、本発明は上述したように構成されるが、その具体的な方法、例えばコード配置制御部２３，４１による送信情報系列ＩＳのデータシンボルに乗算するスクランブルコードＳＣのデータシンボルｚｎの具体的な制御配置については、送信情報系列ＩＳの時間方向に隣接するフレーム同士の、時間方向の前側フレーム末尾及び後側フレーム先頭のそれぞれに周波数方向に並んだデータシンボルに乗算するスクランブルコードＳＣのコード部分のデータシンボルＺｎが、サブキャリア毎に両者同じでありさえすれば、上述した本発明の実施の形態で説明した以外の配置であってもよい。
【０２０９】
また、本発明の上述した実施の形態では、パイロットチャネルＰＬＣＨを用いて，３段セルサーチ法に基づくスクランブルコードＳＣの割り当て方法を述べたが，パイロットチャネルＰＬＣＨ以外に，同期チャネルＳＣＨ（Synchronization Channel）など既知の情報が含まれるセルサーチ用チャネルにも適用できる。
【０２１０】
また、本発明の上述した実施の形態では、送信情報系列ＩＳと言い表した通信フレームをベースに，スクランブルコードＳＣの割り当て方法を述べたが，この送信情報系列ＩＳと言い表した通信フレームより短いスロット単位，又は送信時間間隔ＴＴＩ（Transmission Time Interval）単位にも適用できる。または数通信フレームを１つの時間間隔単位としても適用できる。
【図面の簡単な説明】
【０２１１】
【図１】本発明の第１の実施の形態による移動体通信システムにおける無線基地局の構成図である。
【図２】本実施の形態に係るＭＣ−ＣＤＭＡ方式の移動体通信システムの無線基地局において、無線基地局のスクランブリング部が、パイロットチャネルＰＬＣＨが時間多重化された送信情報系列ＩＳに、スクランブルコードＳＣを乗算する方法の一実施例を示した図である。
【図３】本実施の形態による移動体通信端末の構成図である。
【図４】本実施の形態の無線基地局における送信情報系列ＩＳに対するスクランブルコードＳＣのデータシンボルｚｎの乗算方法についての第１の変形例の説明図である。
【図５】本実施の形態の無線基地局における送信情報系列ＩＳに対するスクランブルコードＳＣのデータシンボルｚｎの乗算方法についての第２の変形例の説明図である。
【図６】本実施の形態の無線基地局における送信情報系列ＩＳに対するスクランブルコードＳＣのデータシンボルｚｎの乗算方法についての第３の変形例の説明図である。
【図７】本実施の形態の無線基地局における送信情報系列ＩＳに対するスクランブルコードＳＣのデータシンボルｚｎの乗算方法についての第４の変形例の説明図である。
【図８】本実施の形態の無線基地局における送信情報系列ＩＳに対するスクランブルコードＳＣのデータシンボルｚｎの乗算方法についての第５の変形例の説明図である。
【図９】本実施の形態の無線基地局における送信情報系列ＩＳに対するスクランブルコードＳＣのデータシンボルｚｎの乗算方法についての第６の変形例の説明図である。
【図１０】本実施の形態の無線基地局における送信情報系列ＩＳに対するスクランブルコードＳＣのデータシンボルｚｎの乗算方法についての第７の変形例の説明図である。
【図１１】本実施の形態の無線基地局における送信情報系列ＩＳに対するスクランブルコードＳＣのデータシンボルｚｎの乗算方法についての第８の変形例の説明図である。
【図１２】本発明の第２の実施の形態による移動体通信システムの無線基地局における送信情報系列ＩＳに対するスクランブルコードＳＣのデータシンボルｚｎの乗算方法についての実施例の説明図である。
【図１３】本発明の第３の実施の形態による移動体通信システムにおける無線基地局の構成図である。
【図１４】本実施の形態による移動体通信端末の構成図である。
【図１５】本発明の第４の実施の形態による移動体通信システムのシステム構成についての説明図である。
【図１６】本実施の形態による移動体通信システムにおける無線基地局の構成図である。
【図１７】本実施の形態による移動体通信システムにおける移動体通信端末の構成図である。
【図１８】本実施の形態の無線基地局における送信情報系列ＩＳに対するスクランブルコードＳＣのデータシンボルｚｎの乗算方法についての第１の実施例の説明図である。
【図１９】本実施の形態の無線基地局における送信情報系列ＩＳに対するスクランブルコードＳＣのデータシンボルｚｎの乗算方法についての第２の実施例の説明図である。
【図２０】従来のＷ−ＣＤＭＡ方式の３段セルサーチ法の手順を示したフローチャートである。
【図２１】従来のＭＣ−ＣＤＭＡ方式の３段セルサーチ法の手順を示したフローチャートである。
【図２２】従来の３段セルサーチ法を適用したＭＣ−ＣＤＭＡ方式の移動体通信システムにおいて、無線基地局から無線移動局へ送信情報を伝送する際の、送信情報のデータシンボルとスクランブルコードとの乗算方法の一例を示した図である。
【図２３】サブキャリア数よりも長いコード長のスクランブルコードで、送信情報を伝送する例の説明図である。
【符号の説明】
【０２１２】
１  無線基地局
２  移動体通信端末
１０  データチャネル生成部
１１  符号化部
１２  データ変調部
１３  Ｓ／Ｐ変換部
１４  コピー部
１５  拡散部
１６  ショートコード生成部
１７  ＤＴＣＨ多重部
１８  ＰＬＣＨ多重部
１９  スクランブリング部
２０  ＩＦＦＴ部
２１  ＧＩ挿入部
２２  スクランブルコード生成部
２３  コード配置制御部
２４  供給切替スイッチ部
３１  ＧＩ除去部
３２  ＦＦＴ部
３３  デスクランブリング部
３４  逆拡散部
３５  加算部
３６  Ｐ／Ｓ変換部
３７  データ復調部
３８  復号化部
３９  セルサーチ検出部
４０  スクランブルコード生成部
４１  コード配置制御部
４２  ショートコード生成部
４３  供給切替スイッチ部
【図１】
0004584807.tif 000002
【図２】
0004584807.tif 000003
【図３】
0004584807.tif 000004
【図４】
0004584807.tif 000005
【図５】
0004584807.tif 000006
【図６】
0004584807.tif 000007
【図７】
0004584807.tif 000008
【図８】
0004584807.tif 000009
【図９】
0004584807.tif 000010
【図１０】
0004584807.tif 000011
【図１１】
0004584807.tif 000012
【図１２】
0004584807.tif 000013
【図１３】
0004584807.tif 000014
【図１４】
0004584807.tif 000015
【図１５】
0004584807.tif 000016
【図１６】
0004584807.tif 000017
【図１７】
0004584807.tif 000018
【図１８】
0004584807.tif 000019
【図１９】
0004584807.tif 000020
【図２０】
0004584807.tif 000021
【図２１】
0004584807.tif 000022
【図２２】
0004584807.tif 000023
【図２３】
0004584807.tif 000024